(57)【要約】【課題】暖房運転中に風呂給湯する際に、浴槽への給湯水が必要以上に加熱されることを防止すること。【解決手段】熱媒と給水とを給湯熱交換器５で熱交換して得られた温水と給水とをミキシングバルブ４で混合して給湯配管１０を介して給湯するための給湯回路と、ミキシングバルブ４を介する温水と給水との混合水を風呂戻り配管１９を介して及びシスターンタンク２０内に配設された追焚コイル２１を経て風呂往き配管２２を介して浴槽に注湯する注湯回路と、暖房装置に接続される温水戻り管３２からシスターンタンク２０及び暖房ポンプ２８を介する温水と熱媒とを暖房熱交換器２５で熱交換して得られた温水を暖房装置に供給循環させる循環回路とを備えた給湯機であって、暖房ポンプ２８を運転することにより循環回路に温水を循環して暖房運転しているときに風呂給湯が開始されると暖房ポンプ２８を停止するように制御するマイクロコンピュータＭを設けた。【選択図】  図１
2004278960.tif 000002
【特許請求の範囲】
【請求項１】
熱媒と給水とを第１熱交換器で熱交換して得られた温水と給水とをミキシングバルブで混合して給湯配管を介して給湯するための給湯回路と、前記ミキシングバルブを介する温水と給水との混合水を風呂戻り配管を介して及びシスターンタンク内に配設された追焚コイルを経て風呂往き配管を介して浴槽に注湯する注湯回路と、暖房装置に接続される温水戻り管から前記シスターンタンク及び暖房ポンプを介する温水と熱媒とを第２熱交換器で熱交換して得られた温水を前記暖房装置に供給循環させる循環回路とを備えた給湯機であって、前記暖房ポンプを運転することにより前記循環回路に温水を循環して暖房運転しているときに風呂給湯が開始されると前記暖房ポンプを停止するように制御する制御装置を設けたことを特徴とする給湯機。
【請求項２】
熱媒と給水とを第１熱交換器で熱交換して得られた温水と給水とをミキシングバルブで混合して給湯配管を介して給湯するための給湯回路と、前記ミキシングバルブを介する温水と給水との混合水を風呂戻り配管を介して及びシスターンタンク内に配設された追焚コイルを経て風呂往き配管を介して浴槽に注湯する注湯回路と、暖房装置に接続される温水戻り管から前記シスターンタンク及び暖房ポンプを介する温水と熱媒とを第２熱交換器で熱交換して得られた温水を前記暖房装置に供給循環させる循環回路とを備えた給湯機であって、前記暖房ポンプを運転することにより前記循環回路に温水を循環して暖房運転しているときに風呂ポンプを運転して風呂給湯が開始されると前記暖房ポンプを停止するように制御すると共に前記風呂ポンプが停止したときには所定時間遅延して前記暖房ポンプを運転開始するように制御する制御装置を設けたことを特徴とする給湯機。
【請求項３】
熱媒と給水とを第１熱交換器で熱交換して得られた温水と給水とをミキシングバルブで混合して給湯配管を介して給湯するための給湯回路と、前記ミキシングバルブを介する温水と給水との混合水を風呂戻り配管を介して及びシスターンタンク内に配設された追焚コイルを経て風呂往き配管を介して浴槽に注湯する注湯回路と、風呂ポンプの運転により浴槽からの温水を前記風呂戻り配管、前記追焚コイル、前記風呂往き配管を介して再び浴槽へと循環させる第１循環回路と、バイパス電動弁が開くことにより前記シスターンタンク、暖房ポンプ、熱媒と循環する温水とを熱交換する第２熱交換器との間で温水が循環する第２循環回路と、暖房装置に接続される温水戻り管から前記シスターンタンク及び暖房ポンプを介する温水と熱媒とを前記第２熱交換器で熱交換して得られた温水を再び前記暖房装置に循環させる第３循環回路とを備えた給湯機であって、前記暖房ポンプを運転することにより前記第３循環回路に温水を循環して暖房運転しているときに前記風呂ポンプを運転して及び前記バイパス電動弁を開いて追焚運転する場合において、このバイパス電動弁が運転を開始したときに所定時間遅延して前記暖房ポンプを停止させ、またこのバイパス電動弁が停止したときに前記暖房ポンプを運転させるように制御する制御装置を設けたことを特徴とする給湯機。
【請求項４】
前記制御装置による制御を年間カレンダータイマーを設けて時節に応じて行うことを特徴とする請求項１乃至請求項３のいずれかに記載の給湯機。
【発明の詳細な説明】
【０００１】
【発明の属する技術分野】
本発明は、熱媒と給水とを熱交換器で熱交換して得られた温水と給水とをミキシングバルブで混合して給湯配管を介して給湯するための給湯回路を備えた給湯機に関する。
【０００２】
【従来の技術】
従来のこの種の給湯機は、通常の台所への給湯の他、風呂給湯や、追焚運転や、暖房運転を行うことができることが知られている（例えば、特許文献１参照）。
【０００３】
【特許文献１】
特開平８−２００８０２号公報
【０００４】
【発明が解決しようとする課題】
しかし、上述のものでは、暖房運転中に風呂給湯すると、注湯時間を短縮すべく設定温度の湯を風呂往き配管及び風呂戻り配管とにより浴槽へ注湯するために、追焚コイルによって注湯水が設定温度以上に加熱されて浴槽に供給されることとなる。また、この暖房運転中に風呂給湯する場合において、浴槽への注湯完了までは浴槽へ所定量の注湯を行ってから風呂ポンプを運転させ、流水スイッチがオンするか否かによって浴槽内の水の有無を検出する循環チェックを行うが、この循環チェックの際にシスターンタンクにより風呂用温水が加熱されてしまい、その結果、設定温度より高い温度で湧き上がることとなり熱くて風呂に入れないという事態が発生する。
【０００５】
そこで本発明は、この暖房運転中に風呂給湯する際に、浴槽への給湯水が必要以上に加熱されることを防止することを目的とする。
【０００６】
【課題を解決するための手段】
このため第１の発明は、熱媒と給水とを第１熱交換器で熱交換して得られた温水と給水とをミキシングバルブで混合して給湯配管を介して給湯するための給湯回路と、前記ミキシングバルブを介する温水と給水との混合水を風呂戻り配管を介して及びシスターンタンク内に配設された追焚コイルを経て風呂往き配管を介して浴槽に注湯する注湯回路と、暖房装置に接続される温水戻り管から前記シスターンタンク及び暖房ポンプを介する温水と熱媒とを第２熱交換器で熱交換して得られた温水を前記暖房装置に供給循環させる循環回路とを備えた給湯機であって、前記暖房ポンプを運転することにより前記循環回路に温水を循環して暖房運転しているときに風呂給湯が開始されると前記暖房ポンプを停止するように制御する制御装置を設けたことを特徴とする。
【０００７】
第２の発明は、熱媒と給水とを第１熱交換器で熱交換して得られた温水と給水とをミキシングバルブで混合して給湯配管を介して給湯するための給湯回路と、前記ミキシングバルブを介する温水と給水との混合水を風呂戻り配管を介して及びシスターンタンク内に配設された追焚コイルを経て風呂往き配管を介して浴槽に注湯する注湯回路と、暖房装置に接続される温水戻り管から前記シスターンタンク及び暖房ポンプを介する温水と熱媒とを第２熱交換器で熱交換して得られた温水を前記暖房装置に供給循環させる循環回路とを備えた給湯機であって、前記暖房ポンプを運転することにより前記循環回路に温水を循環して暖房運転しているときに風呂ポンプを運転して風呂給湯が開始されると前記暖房ポンプを停止するように制御すると共に前記風呂ポンプが停止したときには所定時間遅延して前記暖房ポンプを運転開始するように制御する制御装置を設けたことを特徴とする。
【０００８】
第３の発明は、熱媒と給水とを第１熱交換器で熱交換して得られた温水と給水とをミキシングバルブで混合して給湯配管を介して給湯するための給湯回路と、前記ミキシングバルブを介する温水と給水との混合水を風呂戻り配管を介して及びシスターンタンク内に配設された追焚コイルを経て風呂往き配管を介して浴槽に注湯する注湯回路と、風呂ポンプの運転により浴槽からの温水を前記風呂戻り配管、前記追焚コイル、前記風呂往き配管を介して再び浴槽へと循環させる第１循環回路と、バイパス電動弁が開くことにより前記シスターンタンク、暖房ポンプ、熱媒と循環する温水とを熱交換する第２熱交換器との間で温水が循環する第２循環回路と、暖房装置に接続される温水戻り管から前記シスターンタンク及び暖房ポンプを介する温水と熱媒とを前記第２熱交換器で熱交換して得られた温水を再び前記暖房装置に循環させる第３循環回路とを備えた給湯機であって、前記暖房ポンプを運転することにより前記第３循環回路に温水を循環して暖房運転しているときに前記風呂ポンプを運転して及び前記バイパス電動弁を開いて追焚運転する場合において、このバイパス電動弁が運転を開始したときに所定時間遅延して前記暖房ポンプを停止させ、またこのバイパス電動弁が停止したときに前記暖房ポンプを運転させるように制御する制御装置を設けたことを特徴とする。
【０００９】
第４の発明は、第１乃至第３の発明において、前記制御装置による制御を年間カレンダータイマーを設けて時節に応じて行うことを特徴とする。
【００１０】
【発明の実施の形態】
以下、本発明の実施の形態を図面に基づき説明する。風呂用給湯機を示す図１において、１は給水フィルタ２及び給湯水量センサ３が配設された給水配管で、この給水配管１はミキシングバルブ４を介して給湯熱交換器（第１熱交換器）５に接続されると共に水ガバナ６を介して給湯熱交換器５の二次側に接続される。
【００１１】
７は熱媒フィルタ８及び給湯熱媒開閉弁９を介して前記給湯熱交換器５の一次側に接続される熱媒往き配管で、給湯熱媒開閉弁９が開くことにより熱媒往き配管７を介して前記給湯熱交換器５に供給された熱源機（図示せず）からの熱媒と給水配管１及び水ガバナ６を介して給湯熱交換器５に供給された水道水とを熱交換して得られた温水と給水配管１からの低温度の水道水とを前記ミキシングバルブ４で混合し、約６０℃の給湯系の温水が得られ、給湯配管１０を介して給湯が可能となる。
【００１２】
即ち、熱媒往き配管７を介する熱媒と給水配管１を介する給水とを給湯熱交換器５で熱交換して得られた温水と給水とをミキシングバルブ４で混合して給湯配管１０を介して給湯するための給湯回路が形成される。
【００１３】
また、前記ミキシングバルブ４及び給湯逆止弁１１を介する約６０℃の温水と給水配管１及び水量比例弁１２を介する水道水とは混合され、この混合水は電磁弁１３を介して大気開放弁を備えた縁切り装置であるホッパータンク１４に供給され、更に電磁弁１５及び注湯水量センサ１６を経て流水スイッチ１７及び停止している風呂ポンプ（マグネットポンプ）１８を介して風呂戻り配管１９により浴槽（図示せず）に供給可能であると共に同じく電磁弁１５及び注湯水量センサ１６を経て温水暖房用のシスターンタンク２０内に配設された追焚コイル２１を経て風呂往き配管２２により浴槽（図示せず）に供給可能である。即ち、浴槽への注湯は風呂戻り配管１９及び風呂往き配管２２を介してなされることとなる。
【００１４】
前記熱媒往き配管７は暖房熱媒開閉弁２４を介して暖房熱交換器（第２熱交換器）２５にも接続され、前記熱源機に接続される熱媒戻り管２６は前記給湯熱交換器５及び暖房熱交換器２５に接続されている。この暖房熱交換器２５と前記シスターンタンク２０との間にはバイパス電動弁２７と暖房ポンプ２８とが配設される。そして、暖房ポンプ２８の運転によりシスターンタンク２０からの水と暖房熱媒開閉弁２４が開くことにより熱源機（図示せず）からの熱媒とが暖房熱交換器２５で熱交換され、この熱交換された温水がバイパス電動弁２７の運転によりシスターンタンク２０へ戻ると共に熱媒が熱媒戻り管２６を介して熱源機に戻ることによりシスターンタンク２０内の水が加熱される。従って、このシスターンタンク２０内の水が加熱されることにより追焚コイル２１が加熱され、前記風呂ポンプ１８が運転することにより追焚運転が可能となる。
【００１５】
３０は温水戻り管で、前記バイパス電動弁２７及び前記シスターンタンク２０に接続され、暖房の使用時にはバイパス電動弁２７が停止して暖房ポンプ２８が運転することにより、温水戻り管３０からシスターンタンク２０及び暖房ポンプ２８を経て低温水が低温温水往き管３１を介して低温の暖房機器である床暖房パネル（図示せず）に、また温水戻り管３０からシスターンタンク２０、暖房ポンプ２８及び暖房熱交換器２５を経て高温水が高温温水往き管３２を介して高温の暖房機器である浴室暖房機や温水エアコン（共に図示せず）に供給循環する。
【００１６】
なお、２９は温水戻り管３０と高温温水往き管３２とに接続されたバイパス管である。
【００１７】
３３は低温の暖房機器である床暖房パネルへの暖房循環水の往き温度を検出する温度センサとしての低温サーミスタで、３４は高温の暖房機器である浴室暖房機や温水エアコンへの暖房循環水の往き温度を検出する温度センサとしての高温サーミスタで、３５は注湯温度を検出するための注湯サーミスタで、３６は浴槽への温水の循環温度を検出する風呂サーミスタで、３７は浴槽の水位を検出するための圧力センサである浴槽水位センサである。
【００１８】
前記風呂用給湯機内には、メイン基板３８が設けられ、メイン基板３８にはマイクロコンピュータＭが搭載され、このマイクロコンピュータＭには、図２に示すように、ＣＰＵ、ＲＡＭ、ＲＯＭが内蔵され、上述した給湯水量センサ３、注湯水量センサ１６、流水スイッチ１７、低温サーミスタ３３、高温サーミスタ３４、注湯サーミスタ３５、浴槽水位センサ３７などからの信号が入力されると共に、給湯熱媒開閉弁９、電磁弁１３、１５、風呂ポンプ１８、暖房熱媒開閉弁２４、バイパス電動弁２７、暖房ポンプ２８などに制御信号が出力される。また、浴室に設置される浴室暖房機を制御する浴室暖房リモートコントローラ（以下、「浴室暖房リモコン」という）４０、床暖房を行う部屋に設置される床暖房パネルを制御する床暖房リモートコントローラ（以下、「床暖房リモコン」という）４１、台所に設置され給湯を制御する台所リモートコントローラ（以下、「台所リモコン」という）４２及び風呂場に設置され浴槽への給湯などを制御する風呂リモートコントローラ（以下、「風呂リモコン」という）４３も前記マイクロコンピュータＭに接続される。
【００１９】
以上の構成により、以下動作について説明するが、初めに「給湯」のための動作について説明する。台所リモコン４２の運転スイッチを操作すると、暖房熱媒開閉弁２４を閉じて給湯熱媒開閉弁９が開くことにより熱源機（図示せず）からの熱媒が熱媒往き配管７を介して給湯熱交換器５に供給されて熱媒戻り管２６を介して熱源機に戻る循環路が形成されると共に、熱媒往き配管７を介して給湯熱交換器５に供給される熱源機（図示せず）からの熱媒と給水配管１及び水ガバナ６を介して給湯熱交換器５に供給された水道水とが熱交換して温水が得られ、この温水と給水配管１からの低温度の水道水とがミキシングバルブ４で混合され、約６０℃の給湯系の温水が得られ、給湯配管１０を介して給湯が可能となる。
【００２０】
次に、「浴槽注湯」のための動作について説明する。風呂リモコン４３の運転スイッチを操作すると、前記給湯熱交換器５からミキシングバルブ４及び給湯逆止弁１１を介する約６０℃の温水と給水配管１及び水量比例弁１２を介する水道水とが混合されて、この混合水は電磁弁１３を介して縁切り装置であるホッパータンク１４に供給され、更に電磁弁１５及び注湯水量センサ１６を経て流水スイッチ１７及び停止している風呂ポンプ（マグネットポンプ）１８を介して風呂戻り配管１９により浴槽（図示せず）に供給されると共に同じく電磁弁１５及び注湯水量センサ１６を経てから分岐して追焚コイル２１を経て風呂往き配管２２により浴槽（図示せず）に供給可能となる。
【００２１】
このため、浴槽へは風呂戻り配管１９及び風呂往き配管２２の２本から温水が注湯され、浴槽への注湯時間が短縮される。
【００２２】
この場合、浴槽への注湯完了までは、浴槽へ所定量の注湯を行ってから風呂ポンプ１８を運転させ、流水スイッチ１７がオンするか否かによって浴槽内の水の有無を検出する循環チェックを行うようマイクロコンピュータＭが制御する。
【００２３】
即ち、前述の如く、浴槽への温水の注湯を行って注湯水量センサ１６が所定量を、例えば１００リットルを検出した時点で、電磁弁１３及び１５を閉じると共に風呂ポンプ１８を運転させ、流水スイッチ１７が例えば３０秒間「水有り」を検出し続けるとこの風呂ポンプ１８を停止させる。そして、例えば１分経過後に浴槽水位センサ３７が所定の圧力を検出することにより浴槽の水位を検出し、設定された浴槽の水位までの量（残量）をマイクロコンピュータＭが計算し、前記電磁弁１３及び１５を再び開き、注湯水量センサ１６が前記残量を検出したら前記電磁弁１３及び１５を閉じ、結果として浴槽への設定量の注湯が完了することとなる。
【００２４】
次に、「追焚運転」の動作について説明する。風呂リモコン４３の追焚スイッチを操作すると、暖房ポンプ２８の運転によりシスターンタンク２０からの温水と暖房熱媒開閉弁２４が開くことによる熱源機（図示せず）から熱媒往き配管７を介する熱媒とが暖房熱交換器２５で熱交換され、バイパス電動弁２７の運転により水がシスターンタンク２０→暖房ポンプ２８→暖房熱交換器２５→バイパス電動弁２７→シスターンタンク２０の循環路内を循環すると共に、熱媒は熱媒戻り管２６を介して熱源機に戻ることによりシスターンタンク２０内の水が加熱される。
【００２５】
従って、このシスターンタンク２０内の水が加熱されることにより追焚コイル２１が加熱され、前記風呂ポンプ１８が運転することにより、追焚コイル２１→風呂往き配管２２→浴槽→風呂戻り配管１９→風呂ポンプ１８→追焚コイル２１という循環路が形成され、追焚運転される。そして、風呂サーミスタ３６が例えば４２℃を検出すると、マイクロコンピュータＭは風呂ポンプ１８を停止するように制御する。
【００２６】
次に、「暖房運転」について説明する。浴室暖房リモコン４０及び床暖房リモコン４１の運転スイッチが操作されると、バイパス電動弁２７が閉じて暖房ポンプ２８が運転することにより、温水戻り管３０からシスターンタンク２０及び暖房ポンプ２８を経て低温水が低温温水往き管３１を介して低温の暖房機器である床暖房パネル（図示せず）に、また温水戻り管３０からシスターンタンク２０、暖房ポンプ２８及び暖房熱交換器２５を経て高温水が高温温水往き管３２を介して高温の暖房機器である浴室暖房機や温水エアコン（共に図示せず）に供給循環する。なお、この場合、高温の暖房機器に供給されずに、バイパス管２９を介して高温温水往き管３２からの一部は、温水戻り管３０を介してシスターンタンク２０に戻る。
【００２７】
そして、高温サーミスタ３４が浴室暖房機や温水エアコンへの暖房循環水の往き温度を検出し、例えば８３℃を検出すると、暖房熱媒開閉弁２４を閉じて熱源機から熱媒往き配管７を介する熱媒の暖房熱交換器２５への供給を停止する。また、高温サーミスタ３４が例えば７０℃を検出すると、暖房熱媒開閉弁２４を開き、熱媒往き配管７を介する熱媒の暖房熱交換器２５への供給を開始する。
【００２８】
なお、低温の暖房機器である床暖房パネルによる暖房の単独運転の場合には、低温サーミスタ３３が床暖房パネルへの暖房循環水の往き温度を検出し、例えば６３℃を検出すると暖房熱媒開閉弁２４を閉じ、例えば６０℃を検出すると、暖房熱媒開閉弁２４を開き、熱媒往き配管７を介する熱媒の暖房熱交換器２５への供給を開始する。
【００２９】
ここで、この暖房運転中に風呂注湯すると、前述したように、設定温度の湯を風呂往き配管２２及び風呂戻り配管１９とにより浴槽へ注湯するために、暖房運転のためシスターンタンク２０を介して加熱された追焚コイル２１によって注湯水が設定温度以上に加熱されて浴槽に供給されることとなる。このため、浴槽へ注湯すべく電磁弁１３及び１５が開いたときには、暖房ポンプ２８を即停止して暖房運転を停止するように、マイクロコンピュータＭが制御する。これにより、注湯時の温水が必要以上に加熱されることが防止できる。
【００３０】
また、この暖房運転中に風呂給湯する場合において、前述したように、浴槽への注湯完了までは、浴槽へ所定量の注湯を行ってから風呂ポンプ１８を運転させ、流水スイッチ１７がオンするか否かによって浴槽内の水の有無を検出する循環チェックを行うが、この循環チェックの際にシスターンタンク２０により風呂用温水が加熱されてしまい、その結果、設定温度より高い温度で湧き上がることとなり熱くて風呂に入れないという事態が発生する。このため、この循環チェックの際に風呂ポンプ１８が運転開始したときに暖房ポンプ２８を即停止するように、マイクロコンピュータＭが制御する。また、風呂ポンプ１８が停止したときには所定時間遅延して暖房ポンプ２８が運転開始するようにマイクロコンピュータＭが制御する。これにより、風呂ポンプ１８のオン−オフタイミングにより暖房ポンプ２８への短時間通電（例えば、１０ｍｓｅｃ前後）による脱調を防止できると共に、注湯時の温水が必要以上に加熱されることが防止できる。なお、前述したように、所定時間遅延して暖房ポンプ２８が運転開始するようにマイクロコンピュータＭが制御するが、内部に備えたタイマーにて前記所定時間を計時する。
【００３１】
更に、この暖房運転中に追焚運転する場合において、暖房ポンプ２８の運転によりシスターンタンク２０からの水と暖房熱媒開閉弁２４が開くことにより熱源機から熱媒往き配管７を介する熱媒とが暖房熱交換器２５で熱交換され、バイパス電動弁２７の運転により温水がシスターンタンク２０へ戻ると共に熱媒は熱媒戻り管２６を介して熱源機に戻ることによりシスターンタンク２０内の水が加熱されるが、このバイパス電動弁２７が運転を開始したときに所定時間遅延して暖房ポンプ２８を停止させ、またバイパス電動弁２７が停止したときに暖房ポンプ２８を即運転開始するようにマイクロコンピュータＭが制御することにより、バイパス電動弁２７のオン−オフタイミングにより暖房ポンプ２８への短時間通電（例えば、１０ｍｓｅｃ前後）による脱調を防止できると共に、追焚運転時に循環する温水が必要以上に加熱されることが防止できる。なお、前述したように、所定時間遅延して暖房ポンプ２８を停止させるようにマイクロコンピュータＭが制御するが、内部に備えたタイマーにて前記所定時間を計時する。
【００３２】
なお、暖房運転中に風呂給湯する場合や追焚運転する場合に、暖房ポンプ２８を以上のようにマイクロコンピュータＭが制御するかしないかを、年間カレンダータイマーＴを設けることにより季節（時節）に応じて、即ち夏場は上述したような制御を行うようにし、冬場は制御しないようにすることもできる。
【００３３】
なお、以上本発明の実施態様について説明したが、上述の説明に基づいて当業者にとって種々の代替例、修正又は変形が可能であり、本発明の趣旨を逸脱しない範囲で前述の種々の代替例、修正又は変形を包含するものである。
【００３４】
【発明の効果】
以上のように第１及び第２の発明によれば、暖房運転中に風呂給湯する際に、浴槽への給湯水が必要以上に加熱されることを防止することができる。
【００３５】
また、第３の発明によれば、暖房運転中に追焚運転する際に、バイパス電動弁のオン−オフタイミングにより暖房ポンプへの短時間通電による脱調を防止できると共に、追焚運転時に循環する温水が必要以上に加熱されることが防止できる。
【００３６】
更には第４の発明によれば、暖房運転中に風呂給湯する場合や追焚運転する場合に、第１乃至第３の発明のように暖房ポンプを制御するかしないかを、年間カレンダータイマーを設けることにより、季節（時節）に応じて選択できるから、使い勝手が良い。
【図面の簡単な説明】
【図１】給湯機の全体図である。
【図２】制御装置のブロック図である。
【符号の説明】
４                ミキシングバルブ
５                給湯熱交換器
１０              給湯配管
１８              風呂ポンプ
１９              風呂戻り配管
２０              シスターンタンク
２１              追焚コイル
２２              風呂往き配管
２５              暖房熱交換器
２７              バイパス熱動弁
２８              暖房ポンプ
３２              温水戻り管
Ｍ                マイクロコンピュータ（制御装置）
Ｔ                年間カレンダータイマー
【図１】
2004278960.tif 000003
【図２】
2004278960.tif 000004